(57)【要約】【課題】抑止体を既設流体管の所定箇所に容易に設置して流体の流通を抑止することで、不断流状態で開閉弁を除去することができる開閉弁除去手段及びその方法を提供すること。【解決手段】既設流体管２の所定箇所において、環状の密封部材１４を備え流体の流通を抑止する抑止体１０と、既設流体管２に連通可能に開閉弁５に接続され、抑止体１０を所定箇所に設置する設置装置と、から構成されており、所定箇所に、管内部に向けて突出を控える待機状態若しくは突出した突出状態に切替可能な被係合部３ｂが設けられるとともに、抑止体１０は、突出状態の被係合部３ｂに係合する係合部を備え、設置装置は、被係合部３ｂの待機状態において、抑止体１０を収容部から開閉弁を介し所定箇所に向けて移動させた後に、被係合部３ｂが突出状態に切替り、抑止体１０の係合部１１ｂを被係合部３ｂに係合させるように成っている。【選択図】図３
2010025164.tif 000002
【特許請求の範囲】
【請求項１】
既設流体管に連通して接続された開閉弁を不断流状態で除去する開閉弁除去手段であって、
既設流体管の所定箇所において、既設流体管の内周面との間を密封する環状の密封部材を備え流体の流通を抑止する抑止体と、該抑止体を密封状に収容する収容部を備え既設流体管に連通可能に前記開閉弁に接続され、前記抑止体を前記所定箇所に設置する設置装置と、から構成されており、
前記所定箇所に、管内部に向けて突出を控える待機状態若しくは突出した突出状態に切替可能な被係合部が設けられるとともに、前記抑止体は、前記突出状態の前記被係合部に係合する係合部を備え、
前記設置装置は、前記被係合部の待機状態において、前記抑止体を前記収容部から前記開閉弁を介し前記所定箇所に向けて移動させた後に、前記被係合部が前記突出状態に切替り、前記抑止体の係合部を前記被係合部に係合させるように成っていることを特徴とする開閉弁除去手段。
【請求項２】
前記抑止体に、前記所定箇所側と前記収容部側とを開閉可能に連通する連通路が形成されていることを特徴とする請求項１に記載の開閉弁除去手段。
【請求項３】
前記設置装置は、前記収容部を開放可能な開放弁を備えていることを特徴とする請求項２に記載の開閉弁除去手段。
【請求項４】
前記設置装置は、前記抑止体を前記所定箇所に向けて移動可能な前記密封部材の非密封状態と、前記所定箇所において既設流体管の内周面との間を密封する前記密封部材の密封状態とに、切替可能と成っていることを特徴とする請求項１ないし３のいずれかに記載の開閉弁除去手段。
【請求項５】
前記所定箇所における既設流体管内面は、前記抑止体が所定箇所に向かって移動する移動方向に沿って縮径するテーパ面に形成されており、前記密封部材は、前記抑止体の移動により前記テーパ面に当接することで、前記非密封状態から前記密封状態に切替ることを特徴とする請求項４に記載の開閉弁除去手段。
【請求項６】
既設流体管に連通して接続された開閉弁を不断流状態で除去する開閉弁除去方法であって、
既設流体管の所定箇所において、既設流体管の内周面との間を密封する環状の密封部材を備え流体の流通を抑止する抑止体と、該抑止体を密封状に収容する収容部を備え前記抑止体を前記所定箇所に設置する設置装置とを用い、
前記所定箇所に、管内部に向けて突出を控える待機状態若しくは突出した突出状態に切替可能な被係合部が設けられるとともに、前記抑止体は、前記突出状態の前記被係合部に係合可能な係合部を備え、
前記設置装置は、前記抑止体を前記所定箇所に向けて移動可能な前記密封部材の非密封状態と、前記所定箇所において既設流体管の内周面との間を密封する前記密封部材の密封状態とに、切替可能に成っており、
前記開閉弁を閉状態とし、前記設置装置を既設流体管に連通可能に開閉弁に接続する取付工程と、
前記取付工程の後に、前記開閉弁を開状態とし、前記被係合部の待機状態において、前記密封部材を非密封状態とした前記抑止体を、前記収容部から前記開閉弁を介し前記所定箇所に向けて移動させる移動工程と、
前記移動工程の後に、前記所定箇所において、前記被係合部を前記突出状態に切替え、前記抑止体の係合部を前記被係合部に係合させるとともに、前記密封部材を前記密封状態とし流体の流通を抑止する係合抑止工程と、
前記係合抑止工程の後に、前記設置装置を取り外すとともに前記開閉弁を除去する除去工程と、から構成されていることを特徴とする開閉弁除去方法。
【発明の詳細な説明】
【技術分野】
【０００１】
本発明は、既設流体管に連通して接続された開閉弁を不断流状態で除去する開閉弁除去手段及びその方法に関する。
【背景技術】
【０００２】
従来既設流体管の所定箇所において、既設流体管の内周面との間を密封する環状の密封部材を備え流体の流通を抑止する抑止体を設置し、不断流状態で開閉弁の除去等を可能としている（例えば、特許文献１参照）。
【０００３】
【特許文献１】特開平８−１４４４０号公報（第４頁、第２図）
【発明の開示】
【発明が解決しようとする課題】
【０００４】
しかしながら、特許文献１にあっては、抑止体を、既設流体管の内周面に沿って形成された凹溝の内側にある設置位置まで押し込んだ後に、抑止体が備えた係合部を凹溝に嵌入する構成であるため、抑止体の設置位置、すなわち押し込み方向の位置と嵌入方向の位置への配置に高い精度が要求され、抑止体の設置が困難となる虞が生じていた。
【０００５】
本発明は、このような問題点に着目してなされたもので、抑止体を既設流体管の所定箇所に容易に設置して流体の流通を抑止することで、不断流状態で開閉弁を除去することができる開閉弁除去手段及びその方法を提供することを目的とする。
【課題を解決するための手段】
【０００６】
上記課題を解決するために、本発明の請求項１に記載の開閉弁除去手段は、
既設流体管に連通して接続された開閉弁を不断流状態で除去する開閉弁除去手段であって、
既設流体管の所定箇所において、既設流体管の内周面との間を密封する環状の密封部材を備え流体の流通を抑止する抑止体と、該抑止体を密封状に収容する収容部を備え既設流体管に連通可能に前記開閉弁に接続され、前記抑止体を前記所定箇所に設置する設置装置と、から構成されており、
前記所定箇所に、管内部に向けて突出を控える待機状態若しくは突出した突出状態に切替可能な被係合部が設けられるとともに、前記抑止体は、前記突出状態の前記被係合部に係合する係合部を備え、
前記設置装置は、前記被係合部の待機状態において、前記抑止体を前記収容部から前記開閉弁を介し前記所定箇所に向けて移動させた後に、前記被係合部が前記突出状態に切替り、前記抑止体の係合部を前記被係合部に係合させるように成っていることを特徴としている。
この特徴によれば、抑止体を密封状に収容する収容部を備え既設流体管に連通可能に開閉弁に接続された設置装置により、抑止体は、被係合部の待機状態において、被係合部により動きを干渉される虞なく所定箇所に向けて移動し、抑止体が所定箇所に移動した後に被係合部は突出状態に切替り、抑止体の係合部を被係合部に係合して、既設流体管の所定箇所において抑止体により流体の流通を抑止することで、不断流状態で開閉弁を容易に除去することができる。
【０００７】
本発明の請求項２に記載の開閉弁除去手段は、請求項１に記載の開閉弁除去手段であって、
前記抑止体に、前記所定箇所側と前記収容部側とを開閉可能に連通する連通路が形成されていることを特徴としている。
この特徴によれば、抑止体に、所定箇所側と収容部側とを開閉可能に連通する連通路が形成されており、抑止体を所定箇所に向けて移動するときに、連通路を開状態として流体が連通路を介し収容部側にも流通するため、抑止体の前後で流体による差圧を解消し、抑止体を移動し易い。
【０００８】
本発明の請求項３に記載の開閉弁除去手段は、請求項２に記載の開閉弁除去手段であって、
前記設置装置は、前記収容部を開放可能な開放弁を備えていることを特徴としている。
この特徴によれば、抑止体を所定箇所に向けて移動するときに、開放弁を開放することで、収容部内の空気と収容部側に流通する流体とを容易に置換でき、流体を収容部側に流通させ易い。
【０００９】
本発明の請求項４に記載の開閉弁除去手段は、請求項１ないし３のいずれかに記載の開閉弁除去手段であって、
前記設置装置は、前記抑止体を前記所定箇所に向けて移動可能な前記密封部材の非密封状態と、前記所定箇所において既設流体管の内周面との間を密封する前記密封部材の密封状態とに、切替可能と成っていることを特徴としている。
この特徴によれば、設置装置により、抑止体を所定箇所に向けて移動可能な密封部材の非密封状態と、所定箇所において既設流体管の内周面との間を密封する密封部材の密封状態とに、切替可能と成っているため、抑止体を所定箇所に向けて移動するときに、密封部材を非密封状態として傷付けることなく所定箇所に配置できる。
【００１０】
本発明の請求項５に記載の開閉弁除去手段は、請求項４に記載の開閉弁除去手段であって、
前記所定箇所における既設流体管内面は、前記抑止体が所定箇所に向かって移動する移動方向に沿って縮径するテーパ面に形成されており、前記密封部材は、前記抑止体の移動により前記テーパ面に当接することで、前記非密封状態から前記密封状態に切替ることを特徴としている。
この特徴によれば、抑止体を所定箇所に向けて移動するだけで、密封部材が、移動方向に沿って縮径するテーパ面に形成されている所定箇所における既設流体管内面に当接し密封状態に切替るため、別段の工程を要することなく、非密封状態から密封状態へ容易に切替えできる。
【００１１】
本発明の請求項６に記載の開閉弁除去方法は、
既設流体管に連通して接続された開閉弁を不断流状態で除去する開閉弁除去方法であって、
既設流体管の所定箇所において、既設流体管の内周面との間を密封する環状の密封部材を備え流体の流通を抑止する抑止体と、該抑止体を密封状に収容する収容部を備え前記抑止体を前記所定箇所に設置する設置装置とを用い、
前記所定箇所に、管内部に向けて突出を控える待機状態若しくは突出した突出状態に切替可能な被係合部が設けられるとともに、前記抑止体は、前記突出状態の前記被係合部に係合可能な係合部を備え、
前記設置装置は、前記抑止体を前記所定箇所に向けて移動可能な前記密封部材の非密封状態と、前記所定箇所において既設流体管の内周面との間を密封する前記密封部材の密封状態とに、切替可能に成っており、
前記開閉弁を閉状態とし、前記設置装置を既設流体管に連通可能に開閉弁に接続する取付工程と、
前記取付工程の後に、前記開閉弁を開状態とし、前記被係合部の待機状態において、前記密封部材を非密封状態とした前記抑止体を、前記収容部から前記開閉弁を介し前記所定箇所に向けて移動させる移動工程と、
前記移動工程の後に、前記所定箇所において、前記被係合部を前記突出状態に切替え、前記抑止体の係合部を前記被係合部に係合させるとともに、前記密封部材を前記密封状態とし流体の流通を抑止する係合抑止工程と、
前記係合抑止工程の後に、前記設置装置を取り外すとともに前記開閉弁を除去する除去工程と、から構成されていることを特徴としている。
この特徴によれば、抑止体を密封状に収容する収容部を備え取付工程で既設流体管に連通可能に開閉弁に接続された設置装置により、被係合部の待機状態において、移動工程で密封部材を非密封状態とした抑止体を、被係合部により動きを干渉される虞なく所定箇所に向けて移動し、係合抑止工程で所定箇所において被係合部を突出状態に切替え、抑止体の係合部を被係合部に係合させるとともに、密封部材を密封状態とし流体の流通を密封し、既設流体管の所定箇所において抑止体により流体の流通を制することで、除去工程において不断流状態で開閉弁を容易に除去することができる。
【発明を実施するための最良の形態】
【００１２】
本発明の実施例を以下に説明する。
【実施例１】
【００１３】
本発明の実施例１を図面に基づいて説明すると、先ず図１は、本発明の実施例１における開閉弁除去手段の取付工程を示した概略図である。図２は、移動工程を示した概略図である。図３（ａ）は、抑止体の前後で流体が流通する連通路を示した拡大断面図であり、（ｂ）は、（ａ）のＡ−Ａ断面図である。図４は、除去工程を示した拡大断面図である。
【００１４】
図１に示されるように、流体が流通する本管１及び本管１に略直交して分岐する分岐管２が、既設流体管を構成しており、本実施例では、管内には上水が流通している。分岐管２の端部に形成されたフランジ２ａには、主として排水に用いる開閉弁５の一端側のフランジ５ｃが水密に接続されており、弁筐体５ａ内の弁体５ｂは閉状態で、管内流体の流通は遮断されている。開閉弁５の他端側のフランジ５ｄには、図示の通常時に特段の部材は接続されておらず、排水時に図示しない排水ホース等を接続可能となっている。尚、既設流体管内を流通する流体は、必ずしも上水に限られず、他種の液体若しくは気体等であっても構わない。
【００１５】
分岐管２における図示略中央の所定箇所には、上部及び下部の管壁をそれぞれ貫通する穿孔２ｂ，２ｂが形成されるとともに、該穿孔２ｂ，２ｂに連通するスリーブ３ａ，３ａが設けられており、スリーブ３ａの雌ネジ部に、被係合部としての被係合ボルト３ｂが、その先端部３ｃの分岐管２内部への突出を控えた状態で水密に螺合されている。尚、上記した被係合部は、分岐管の上下に設けられているに限られず、例えば分岐管の略中央高さ位置において左右に設けられていてもよい。このようにすることで、分岐管内の夾雑物等が混入する虞を回避できる。更に尚、被係合部は、上記した２箇所に限られず、後述する係合部の数量に合わせた所定箇所設けられていてもよい。
【００１６】
分岐管２の内周面は、開閉弁５側から前記所定箇所、そして本管１側に向って漸次縮径するテーパ面２ｃに形成されており、テーパ面２ｃの本管１側に段部２ｄが形成されている。
【００１７】
次に、開閉弁除去手段について説明すると、開閉弁除去手段は、後述するように分岐管２の前記した所定箇所において流体の流通を抑止する抑止体１０と、抑止体１０を所定箇所に設置する設置装置２０と、から主として構成されている。抑止体１０は、抑止体１０の図示右側を収容する収容部２２内に一端側が水密に挿通された挿入軸２４、無連動継手２５及び送り軸２６を介し、操作用のハンドル２７に接続されている。抑止体１０に接続された上記各部材は、設置装置２０を構成している。送り軸２６は、収容部２２に一体のフランジ２１に立設した２本の支持軸２８，２８に支持されている支持板２９に嵌挿されている。
【００１８】
図３（ａ）、（ｂ）に示されるように、抑止体１０について詳述すると、抑止体１０は、図示左側の前方周面に沿った溝部１１ｃ内に密封部材としての環状の弾性体であるＯリング１４を備えた係合こま１１と、先端側にナットを備え係合こま１１に螺合したボルト１５と、から主として成る。係合こま１１には軸方向に前後面を連通する連通路Ｒが形成されており、係合こま１１の一端側に、前記ナット側から順に、バックアップリング１３、連通路Ｒの一端側を閉塞可能な弾性体から成るガスケット１６がボルト１５に嵌挿されている。更に、ガスケット１６よりも小径のバネ体１７がボルト１５に嵌挿され、バックアップリング１３と係合こま１１との間を離間する方向に付勢している。また、係合こま１１の前方周面と、この前方周面よりも小径の図示右側の後方周面との間に連続する段部が、後述する係合部１１ｂとして形成されている。更に、抑止体１０の接続について説明すると、係合こま１１の他端側に挿入軸２４の端部が螺合している。
【００１９】
次に、開閉弁除去手段による開閉弁の除去を工程順に説明する。
【００２０】
図１に示されるように、取付工程について説明すると、設置装置２０を構成するフランジ２１を開閉弁５の他端側のフランジ５ｄに水密に接続する。このようにすることで、抑止体１０が、収容部２２及び収容部２２に連通する弁筐体５ａにおける図示右側内部に水密に収容されることになる。抑止体１０に接続された挿入軸２４及び送り軸２６は、分岐管２と略同軸に位置している。
【００２１】
次に、図２に示されるように、移動工程について説明すると、開閉弁５の弁軸５ｅを回転操作することで弁体５ｂを開状態とし、ハンドル２７により抑止体１０を軸方向（図示左方向）に、収容部２２から開閉弁５を介し所定箇所に向けて移動させる。弁体５ｂを開状態とすることで、既設流体管内の流体が図示右方向に流通する。すなわち流体は、図３（ａ）に示されるように、抑止体１０の前方側から、バックアップリング１３及びガスケット１６の外方周囲、及び係合こま１１の連通路Ｒを介して、抑止体１０の後方側の収容部に流通する。このようにすることで、抑止体１０の前後で流体による差圧を解消し、抑止体１０を移動し易い。このとき、ガスケット１６と連通路Ｒが形成された係合こま１１の前面との対向面間は、バネ体１７の付勢により所定に離間し連通路Ｒが開放しているため、流体は、抑止体１０の前後で確実に流通する。特に、開閉弁５の弁筐体５ａの内径が分岐管２の内径よりも比較的小径で、移動工程において抑止体１０のＯリング１４の外面が弁筐体５ａの内面と干渉し、流体が、抑止体１０の外面側を前後に流通し難い場合でも、前記した連通路Ｒを介し確実に流通できる。
【００２２】
この移動工程において、収容部２２に形成された開口部２２ａに連通する開放弁３０を操作部３０ａにより適宜開放する。このようにすることで、収容部２２内の当初の空気を開口３１より放出し、すなわち収容部２２内の当初の空気と、収容部２２側に流入する流体とを容易に置換でき、流体を収容部２２側に流通させ易いので、抑止体１０の前後での差圧を直ぐに解消できる。収容部２２内の空気を抜くことで管内水圧と略同圧になるが、圧力ゲージ３２が安定して同圧が確認できた時点で、開放弁３０を閉状態とする。
【００２３】
また、この移動工程においては、係合こま１１の溝部１１ｃに嵌合しているＯリング１４は、後述する圧縮力が付与されていない非密封状態であるため、抑止体１０の移動途中で開閉弁５のスリーブ部若しくは分岐管２の内面と当接し干渉してしまう虞がない。
【００２４】
更に、この移動工程においては、被係合ボルト３ｂは、先端部３ｃが分岐管２の内周面よりも内方に突出しておらず、分岐管２の内部への突出を控えた待機状態と成っているため、被係合ボルト３ｂが抑止体１０と干渉してしまうことが無い。
【００２５】
抑止体１０における前側に位置する係合こま１１の前端面１１ａが、分岐管２内面に形成された段部２ｄに当接することで、抑止体１０の前記所定位置までの移動が終了する。このように、係合こま１１の前端面１１ａと分岐管２の段部２ｄとの当接を利用することで、抑止体１０の前記所定位置への配置が容易となる。
【００２６】
また、ハンドル２７に一体に接続された送り軸２６と、抑止体１０を構成する係合こま１１に接続された挿入軸２４とは、軸回りの回動が連動しない継手である無連動継手２５を介して接続されているため、ハンドル２７を軸方向に押圧操作する際にハンドル２７を軸回りに回動してしまう場合であっても、無連動継手２５により、前記回動が挿入軸２４側に連動することがなく、すなわち抑止体１０は回動することなく軸方向のみに移動可能になり、移動工程においてＯリング１４を回動で周方向に摺接してしまう虞を回避できる。
【００２７】
次に、図３（ａ）、（ｂ）に示されるように、係合抑止工程について説明すると、設置装置２０により抑止体１０を所定箇所まで移動させることで、係合こま１１の溝部に嵌合されたＯリング１４が、所定箇所において縮径されたテーパ面２ｃとの間で挟圧されることで、このテーパ面２ｃと係合こま１１との間の流体の流通を密封する密封状態となる。
【００２８】
このように、抑止体１０を所定箇所に向けて移動するだけで、密封部材としてのＯリング１４が、移動方向に沿って縮径するテーパ面２ｃに形成されている所定箇所における分岐管２内面に当接し密封状態に切替るため、別段の工程を要することなく、非密封状態から密封状態へ容易に切替えできる。
【００２９】
設置装置２０により、抑止体１０を所定箇所に向けて移動可能な密封部材としてのＯリング１４の非密封状態と、所定箇所において分岐管２の内周面との間を密封するＯリング１４の密封状態とに、切替可能と成っているため、抑止体１０を所定箇所に向けて移動するときに、Ｏリング１４を非密封状態として傷付けることなく所定箇所に配置できる。
【００３０】
一方、被係合ボルト３ｂを分岐管２内部に向けて螺入することで、先端部３ｃが分岐管２内部に突出した突出状態に切替り、先端部３ｃを係合こま１１の係合部１１ｂ若しくは係合部１１ｂよりも後方の後方周面に当接させる。そして、流体の圧力若しくはハンドル２７操作により、抑止体１０を前記した移動方向と逆方向に移動させることで、係合部１１ｂが、被係合ボルト３ｂに係合する。このように係合部１１ｂが被係合ボルト３ｂに係合することで、後述する除去工程においても係合こま１１の移動が規制される。
【００３１】
この係合抑止工程の終了により、分岐管２の所定箇所で流体の流通が抑止されることになる。
【００３２】
本発明において、流体の流通を抑止するとは、抑止体１０の前後で流体の流通を完全に遮断する態様、若しくは、環状の密封部材により既設流体管の内周面との間を密封した上で、密封部材の環の中を通過する連通路Ｒを介した比較的少量の流体の流通を許容する態様のいずれの態様も包含する。
【００３３】
次に、図４に示されるように、除去工程について説明すると、上述したように抑止体１０により流体の流通が抑止された状況下で、不断流状態で設置装置２０を開閉弁５から取り外すとともに、開閉弁５を分岐管２から除去する。若しくは、設置装置２０が開閉弁５に取り付けられた状態のままで、開閉弁５を分岐管２から取り外してもよい。
【００３４】
設置装置２０の取り外しについて、詳細には、挿入軸２４を係合こま１１から取り外すとともに、開閉弁５を分岐管２から取り外す。
【００３５】
上記した設置装置２０取り外しにより、管内の流体が、水圧でバックアップリング１３を流出方向、すなわち図示右方向にバネ体１７の付勢に抗して押圧することで、ガスケット１６が連通路Ｒの一端側を水密に閉塞する。このようにすることで、連通路Ｒによる抑止体１０の前後で流体の流通を完全に遮断できる。バネ体１７の付勢力を管内の水圧よりも小さい仕様とすることで、上述のように設置装置２０及び開閉弁５を取り外すだけで、管内の水圧を利用して、特段の閉塞作業を要することなく抑止体１０の前後で流体の流通を遮断できる。
【００３６】
上述したように、抑止体１０を密封状に収容する収容部２２を備え分岐管２に連通し開閉弁５に接続された設置装置２０により、抑止体１０は、被係合ボルト３ｂの待機状態において、被係合ボルト３ｂにより動きを干渉される虞なく所定箇所に向けて移動し、抑止体１０が所定箇所に移動した後に被係合ボルト３ｂは突出状態に切替り、抑止体１０を構成する係合こま１１の係合部１１ｂを被係合ボルト３ｂに係合して、分岐管２の所定箇所において抑止体１０により流体の流通を抑止することで、不断流状態で開閉弁５を容易に除去することができる。
【００３７】
また、抑止体１０を密封状に収容する収容部２２を備え取付工程で分岐管２に連通し開閉弁５に接続された設置装置２０により、被係合ボルト３ｂの待機状態において、移動工程でＯリング１４を非密封状態とした抑止体１０を、被係合ボルト３ｂにより動きを干渉される虞なく所定箇所に向けて移動し、係合抑止工程で所定箇所において被係合ボルト３ｂを突出状態に切替え、抑止体１０を構成する係合こま１１の係合部１１ｂを被係合ボルト３ｂに係合させるとともに、Ｏリング１４を密封状態とし流体の流通を密封し、分岐管２の所定箇所において抑止体１０により流体の流通を制することで、除去工程において不断流状態で開閉弁５を容易に除去することができる。
【実施例２】
【００３８】
次に、本発明の実施例２を図面に基づいて説明すると、図５は、実施例２における移動工程を示した拡大断面図である。図６は、係合抑止工程を示した拡大断面図である。図７は、除去工程を示した拡大断面図である。なお、上記実施例と同一構成で重複する構成を省略する。
【００３９】
図５に示されるように、実施例２における抑止体４０は、先端側（図示左側）から順に、外周面に沿って凹状を成す係合部４１ｂを備えた係合こま４１、密封部材としての弾性部材４４、そして環状部材４２から主として構成されており、係合こま４１が螺合され、弾性部材４４及び環状部材４２が嵌挿されたボルト４３が、ナット４５と螺合している。
【００４０】
また抑止体４０を所定箇所に設置する設置装置５０は、図示しない収容部内に一端側が水密に挿通されナット４５に嵌合した挿入軸５４と、挿入軸５４を略同軸に内部に挿通する筒状体であって環状部材４２に嵌合した送り軸５６とを含んでいる。
【００４１】
移動工程について説明すると、図示しないハンドルにより、挿入軸５４及び送り軸５６を介して抑止体４０を軸方向（図示左方向）に、所定箇所に向けて移動させる。流体は、係合こま４１の外方周囲を通過して、抑止体４０の後方側の収容部に流通する。このようにすることで、抑止体４０の前後で流体による差圧を解消し、抑止体４０を移動し易い。尚、送り軸５６の周壁に貫通孔を形成し、流体が前記貫通孔を介し送り軸５６の内部を流通するようにしてもよい。
【００４２】
また、送り軸５６の後方側の外周面にマーキングを付す等により、抑止体４０を所定箇所に正しく配置するべく、軸方向の移動量を把握できるようにすると好ましい。
【００４３】
次に、図６に示されるように、係合抑止工程について説明すると、被係合ボルト３ｂを分岐管２内部に向けて螺入することで、先端部３ｃが分岐管２内部に突出した突出状態に切替り、先端部３ｃを所定箇所に配置されている係合こま４１の係合部４１ｂに当接させることで、係合部４１ｂが、被係合ボルト３ｂに係合する。このようにすることで、後述する除去工程においても係合こま４１の移動が規制される。
【００４４】
一方、挿入軸５４を回転操作してナット４５をボルト４３に螺入することで、環状部材４２が係合こま４１に向って押圧され、弾性部材４４が、環状部材４２と係合こま４１との間で挟圧されて外径方向に膨出することで、分岐管２の内周面に密接し、この内周面と係合こま４１との間の流体の流通を密封する密封状態となる。
【００４５】
このとき環状部材４２は、送り軸５６に嵌合されて回動動作を規制されているため、環状部材４２に当接している弾性部材４４は、ナット４５の回動動作に連動し捻れてしまうことがなく、すなわち弾性部材４４は軸方向にのみ圧縮力が付与されて密封状態となる。
【００４６】
この係合抑止工程の終了により、分岐管２の所定箇所で流体の流通が完全に遮断されることになる。
【００４７】
次に、除去工程について説明すると、図７に示されるように、上述したように抑止体４０により流体の流通が抑止された状況下で、不断流状態で設置装置５０を開閉弁から取り外すとともに、開閉弁を分岐管２から除去する。若しくは、設置装置５０が開閉弁に取り付けられた状態のままで、開閉弁を分岐管２から取り外してもよい。挿入軸５４及び送り軸５６は、それぞれナット４５及び環状部材４２に嵌合されているのみであるため、挿入軸５４及び送り軸５６を軸方向に引き戻すことで、それぞれナット４５及び環状部材４２から容易に外れる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、上記実施例では、既設流体管の所定箇所として、本管１から分岐する分岐管２の所定箇所に被係合部を設け抑止体１０を設置しているが、所定箇所は、既設流体管を構成し抑止体を設置可能な箇所であれば、例えば本管における所定の箇所でもよい。
【００５０】
また、上記実施例では、既設流体管として、流体が流通する本管１及び本管１に略直交して分岐する分岐管２が示されているが、既設流体管は、例えば既設管路を開閉するバルブを収容する収容ケースも含み、該収容ケースに連通する排出部を介し接続された開閉弁を除去するべく、前記排出部を所定箇所としてもよい。
【図面の簡単な説明】
【００５１】
【図１】本発明の実施例１における開閉弁除去手段の取付工程を示した概略図である。
【図２】移動工程を示した概略図である。
【図３】（ａ）は、抑止体の前後で流体が流通する連通路を示した拡大断面図であり、（ｂ）は、（ａ）のＡ−Ａ断面図である。
【図４】除去工程を示した拡大断面図である。
【図５】実施例２における移動工程を示した拡大断面図である。
【図６】係合抑止工程を示した拡大断面図である。
【図７】除去工程を示した拡大断面図である。
【符号の説明】
【００５２】
１                本管（既設流体管）
２                分岐管（既設流体管）
２ｃ              テーパ面
３ｂ              被係合ボルト（被係合部）
５                開閉弁
１０              抑止体
１１              係合こま
１１ｂ            係合部
１３              バックアップリング
１４              Ｏリング（密封部材）
１５              ボルト
１６              ガスケット
１７              バネ体
２０              設置装置
２２              収容部
２４              挿入軸
２７              ハンドル
３０              開放弁
３２              圧力ゲージ
４０              抑止体
４１              係合こま
４１ｂ            係合部
４２              環状部材
４３              ボルト
４４              弾性部材（密封部材）
４５              ナット
５０              設置装置
５４              挿入軸
【図１】
2010025164.tif 000003
【図２】
2010025164.tif 000004
【図３】
2010025164.tif 000005
【図４】
2010025164.tif 000006
【図５】
2010025164.tif 000007
【図６】
2010025164.tif 000008
【図７】
2010025164.tif 000009